(57)【要約】【課題】地上デジタル放送により地域密着型放送を実施する場合に、隣接する第１基地局間において混信によるノイズの問題が発生するのを解決する手段を提供すること。【解決手段】デジタル変調信号をＯＦＤＭ（直交周波数分割多重）により搬送する放送電波を送信する複数の第１基地局（１０ａ、１０ｂ、１０ｃ、・・・）を含んで構成する放送システムにおいて、複数の第１基地局（１０ａ、１０ｂ、１０ｃ、・・・）のうち互いに放送エリア（１１ａ、１１ｂ、１１ｃ、・・・）が重複する所定の第１基地局（１０ａ、１０ｂ、１０ｃ、・・・）の組み合わせにおいて、前記放送電波の発射周波数の基準となる基準信号を得る手段と、得られた前記基準信号に基づいてＯＦＤＭにより前記放送電波を送信する手段と、を備える複数の第１基地局（１０ａ、１０ｂ、１０ｃ、・・・）を含んで構成する放送システム１を含む。【選択図】図１
2009027680.tif 000002
【特許請求の範囲】
【請求項１】
デジタル変調信号をＯＦＤＭ（直交周波数分割多重）により搬送する放送電波を送信する複数の第１基地局を含んで構成する放送システムにおいて、
複数の前記第１基地局のうち互いに放送エリアが重複する所定の前記第１基地局の組み合わせにおいて、前記放送電波の発射周波数の基準となる基準信号を得る手段と、
得られた前記基準信号に基づいてＯＦＤＭにより前記放送電波を送信する手段と、を備える複数の前記第１基地局を含んで構成する放送システム。
【請求項２】
デジタル変調信号をＯＦＤＭ（直交周波数分割多重）により搬送する放送電波を送信する複数の第１基地局を含んで構成する放送システムにおいて、
複数の前記第１基地局のうち互いに放送エリアが重複する所定の前記第１基地局の組み合わせにおいて、前記放送電波の発射タイミングを調整するための基準信号を得る手段と、
得られた前記基準信号に基づいてＯＦＤＭにより前記放送電波を送信する手段と、を備える複数の前記第１基地局を含んで構成する放送システム。
【請求項３】
通信ネットワークを介して接続されたサーバから発信される共通クロック信号を受信して前記基準信号とする手段を更に備える請求項１又は請求項２のいずれかに記載の前記第１基地局を含んで構成する放送システム。
【請求項４】
前記第１基地局から送信される前記放送電波とは異なる周波数によってデジタル変調信号を搬送する第２基地局から送信された放送電波を基準波として受信して前記基準信号とする手段を更に備える請求項１から請求項３のいずれかに記載の前記第１基地局を含んで構成する放送システム。
【請求項５】
前記所定の第１基地局の組み合わせにおいて、前記第１基地局のうちの一つを予め基準局と定め、前記基準局において基準波をＯＦＤＭの１セグメントを使用して送信する手段と、
送信した前記基準波を前記基準信号とする手段と、を更に備え、
前記基準局ではない第１基地局が、送信された前記基準波を受信して前記基準信号とする手段を備える請求項１から請求項４のいずれかに記載の前記第１基地局を含んで構成する放送システム。
【請求項６】
前記所定の第１基地局の組み合わせにおいて、通信ネットワークを介して前記所定の第１基地局における互いの内部クロックを送受信する手段と、
前記内部クロックを前記基準信号とする手段と、を更に備える請求項１から請求項５のいずれかに記載の前記第１基地局を含んで構成する放送システム。
【請求項７】
前記第１基地局からの放送電波の同期信号を受信する手段と、
互いに放送エリアが重複する場所において、ＧＰＳ衛星からの信号を受信して自局の位置を特定する手段と、
前記所定の第１基地局の組み合わせに含まれる第１基地局と自局との間の距離をそれぞれ計算する手段と、
前記それぞれ計算した距離の差に基づいて、前記所定の第１基地局の組み合わせに含まれる第１基地局からの放送電波の同期信号を補正する手段と、
補正した前記同期信号に基づいて前記放送電波を受信する手段と、を備える受信機を更に含む請求項１から請求項６のいずれかに記載の放送システム。
【請求項８】
複数の第１基地局を含んで構成する放送システムにより、デジタル変調信号をＯＦＤＭ（直交周波数分割多重）により搬送する放送電波を送信する方法であって、
複数の第１基地局のうち互いに放送エリアが重複する所定の前記第１基地局の組み合わせにおいて、前記放送電波の発射周波数の基準となる基準信号を得る手順と、
得られた前記基準信号に基づいてＯＦＤＭにより前記放送電波を送信する手順と、を有する方法。
【請求項９】
複数の第１基地局を含んで構成する放送システムにより、デジタル変調信号をＯＦＤＭ（直交周波数分割多重）により搬送する放送電波を送信する方法であって、
複数の前記第１基地局のうち互いに放送エリアが重複する所定の第１基地局の組み合わせにおいて、前記放送電波の発射タイミングを調整するための基準信号を得る手順と、
得られた前記基準信号に基づいてＯＦＤＭにより前記放送電波を送信する手順と、を有する方法。
【発明の詳細な説明】
【技術分野】
【０００１】
本発明は、放送システム及び方法に関する。
【背景技術】
【０００２】
本発明の先行技術である地上デジタル放送は、ＵＨＦ帯とＶＨＦ帯を使用したアナログ放送による地上波テレビ放送をデジタル化したものである。
【０００３】
日本国内においては、２００３年１２月から地上デジタル放送が開始され、２０１１年７月まではアナログ放送と地上デジタル放送が共に実施され、２０１１年７月からはアナログ放送は廃止され、地上デジタル放送のみが実施されることが決定している。
【０００４】
地上デジタル放送が導入された目的の１つは、地上波テレビ放送をデジタル化することにより、限られた電波の周波数帯域を有効利用することである。
【０００５】
具体的には、地上デジタル放送では、ＵＨＦ帯のみを使用するためＶＨＦ帯を別の目的に使用することが可能である。また、アナログ放送では、マルチパスにより隣接するチャンネルに映像が映りこむため、例えば８チャンネルの次は１０チャンネルというように１チャンネル置きに放送を割り当てていたが、地上デジタル放送では、隣接するチャンネルであっても映像が映りこまないため、隣接するチャンネルにも無駄なく放送を割り当てることが可能である。更に、地上デジタル放送では、デジタル符号化により１つのチャンネルでアナログ放送３チャンネル分の放送が可能である。
【０００６】
また、同様に地上デジタル放送が導入された目的の１つは、地上波テレビ放送の高画質化、高機能化、及び放送サービスの多様化を促進することである。
【０００７】
具体的には、地上デジタル放送では、高画質でかつ音声も５．１チャンネルサラウンドに対応しているハイビジョン放送が可能である。また、地上デジタル放送では、データ放送を活用することにより、テレビ番組と共に番組表や天気予報などの情報をオンデマンドでテレビ画面に表示させたり、リモコン操作を通じて視聴者がクイズ番組に参加したりすることが可能である。更に、地上デジタル放送では、いわゆるワンセグ放送により、携帯電話等を含む携帯機器向けにテレビ番組を放送することが可能である。
【０００８】
このような状況において、例えば、特許文献１に開示された技術によれば、上述の地上デジタル放送において、インパルスノイズ妨害を受けた場合に受信特性の評価を行うことができる。
【０００９】
現在、日本国内において実施されている地上デジタル放送には、地上デジタルテレビジョン放送（いわゆる「地デジ」）と、携帯機器向け地上デジタル放送（いわゆる「ワンセグ」）の２種類がある。図１０は、地上デジタル放送において、地上デジタルテレビジョン放送と、携帯機器向け地上デジタル放送の棲み分けを表した図である。地上デジタル放送では、ＵＨＦ帯を１３のセグメント（領域）に分割して使用しており、そのうちＵＨＦ帯の最も低い周波数帯域から数えて７番目のセグメントを携帯機器向け地上デジタル放送に使用し、残りの１２のセグメントを地上デジタルテレビジョン放送に使用している。
【００１０】
現状では、いわゆるサイマル規制により、携帯機器向け地上デジタル放送は、地上デジタルテレビジョン放送と同じ番組を放送することを義務付けられている。しかし、技術的には携帯機器向け地上デジタル放送は、多様なバリエーションの番組を放送することが可能である。例えば、図１１は、地上デジタル放送において、ＵＨＦ帯の１３のセグメント全てを携帯機器向け地上デジタル放送に使用する活用例を表した図である。ＵＨＦ帯において１３個の１セグメント放送を連結送信する方式を用いれば、理論上はＵＨＦ帯の１３のセグメントのそれぞれが独立した携帯機器向け地上デジタル放送を実施することが可能である。
【００１１】
ここで、地上デジタル放送が導入された目的を鑑みると、ＵＨＦ帯の１３のセグメントの全てを携帯機器向け地上デジタル放送に使用することができるのであれば、携帯機器向け地上デジタル放送ならではの新たなサービスの提供があってもよい。例えば、利用者と共に移動する携帯機器の特徴を踏まえて、地上デジタル放送を用いて基地局の周辺５〜１０ｋｍ圏のエリア内でより地域に密着した番組を放送するという新しい放送サービスの提供も十分に考えられる。
【００１２】
図８は、地上デジタル放送を利用して、地域密着型放送を実施した活用例を表した図である。ここでは、利用者と共に携帯機器がそれぞれ５〜１０ｋｍの圏域を持つＡエリア、Ｂエリア、Ｃエリアに移動する度に、携帯機器がそれぞれのエリアの代表チャンネルである１５Ｃｈ、１７Ｃｈ、２７Ｃｈを自動的に選局する様子が表現されている。１５Ｃｈ、１７Ｃｈ、２７ＣｈはＵＨＦ帯の周波数チャンネルを示す表記であり、それぞれ各周波数チャンネルの１セグメントを使用している。
【００１３】
図９も、地上デジタル放送を利用して、地域密着型放送を実施した活用例を表した図である。ここでは、図８におけるＡエリアを例にとって、携帯機器がＡエリアの代表チャンネルである１５Ｃｈを自動的に選局した後、隣接するチャンネルである１５．１Ｃｈ、１５．２Ｃｈ、１５．３Ｃｈを任意に選局する様子が表現されている。１５．１Ｃｈ、１５．２Ｃｈ、１５．３ＣｈはそれぞれＵＨＦ帯の１５チャンネルから１番目のセグメント、２番目のセグメント、３番目のセグメントを示す表記である。
【００１４】
更に具体的には、上記のＡエリアがとある町であれば、Ａエリアのターミナル駅、商業施設、レジャー施設、商店街、美術館、病院、学校などが、その場のニーズに応じて個性豊かなコンテンツを作成して放送することができる。例えば、ターミナル駅であれば時刻表や沿線情報を表示させたり、美術館であれば展示品を紹介したりすることもできる。
【００１５】
現在、日本国内において実施されている地上デジタル放送では、上述のような要件を満足させる前提となっている、ＯＦＤＭ（直行周波数分割多重）と呼ばれるデジタル変調方式が用いられている。ＯＦＤＭは、マルチキャリア（複数の搬送波）のデジタル変調方式であり、多数のキャリアをそれぞれ独立にデジタル変調したものを合成して伝送する。
【００１６】
図１５は、地上デジタル放送における、ＯＦＤＭを用いた伝送方式の仕組みを表した図である。映像、音声及びデータはＴＳ（Ｔｒａｎｓｐｏｒｔ  Ｓｔｒｅａｍ）という所定の形式でデジタル符号化及び多重化された後、階層分割、誤り訂正、インターリーブ、キャリア変調、フレーム構成といった処理を経て、ＩＦＦＴ（Ｉｎｖｅｒｓｅ  Ｆａｓｔ  Ｆｏｕｒｉｅｒ  Ｔｒａｎｓｆｏｒｍ）による周波数変換の結果、ＯＦＤＭ信号が生成される。
【００１７】
図１６は、地上デジタル放送における、周波数変換の仕組みを表した図である。上述のＩＦＦＴによって変換されたＯＦＤＭ信号は、ガード・インターバルという冗長な信号を付加された後、Ｄ／Ａ（Ｄｉｓｉｔａｌ  ｔｏ  Ａｎａｌｏｇ  Ｃｏｎｖｅｒｔｅｒ）というデジタルからアナログへの変換器と、ＬＰＦ（Ｌｏｗ  Ｐａｔｈ  Ｆｉｌｔｅｒ）という低域の周波数のみを通過させるフィルタとを経て、位相がΠ／２だけずれている２つの成分を、それぞれ掛け合わせて合成することで周波数を変換し、実際の電波で発射できるＯＦＤＭ伝送信号が生成される。
【００１８】
上述の地域密着型放送を実施するにあたり次の点に注意すべきである。図１２は、地上デジタル放送において、送信エリアが重なった場合にノイズが発生することを表した図である。
【００１９】
図１２の（ａ）において、送信機Ｔｘ１の電波が届く範囲をエリア１、送信機Ｔｘ２の電波が届く範囲をエリア２とする。送信機Ｔｘ１及び送信機Ｔｘ２は、エリア１及びエリア２が重ならないように十分離れているものとする。受信機Ｒｘ１はエリア１に、受信機Ｒｘ２はエリア２にそれぞれ存在し、受信機Ｒｘ３はエリア１及びエリア２の外に存在する。送信機Ｔｘ１はＵＨＦ帯の最も低い周波数帯域から数えて１番目、２番目、３番目のセグメントでデータを送信し、そのほかのセグメントはＮｕｌｌで送信しており、送信機Ｔｘ２はＵＨＦ帯の最も低い周波数帯域から数えて４番目、５番目、６番目のセグメントでデータを送信し、そのほかのセグメントはＮｕｌｌで送信しているものとする。
【００２０】
この時、受信機Ｒｘ１、受信機Ｒｘ２、受信機Ｒｘ３のそれぞれの受信波は図１２の（ｂ）のようになる。受信機Ｒｘ３は、送信機Ｔｘ１及び送信機Ｔｘ２の電波を受信しない。
【００２１】
図１２の（ｃ）において、送信機Ｔｘ１の電波が届く範囲をエリア１、送信機Ｔｘ２の電波が届く範囲をエリア２とする。送信機Ｔｘ１及び送信機Ｔｘ２は、エリア１及びエリア２が重なるように隣接するものとする。受信機Ｒｘ１はエリア１に、受信機Ｒｘ２はエリア２にそれぞれ存在し、受信機Ｒｘ３はエリア１及びエリア２が重なり合うエリアに存在する。送信機Ｔｘ１はＵＨＦ帯の最も低い周波数帯域から数えて１番目、２番目、３番目のセグメントでデータを送信し、そのほかのセグメントはＮｕｌｌで送信しており、送信機Ｔｘ２はＵＨＦ帯の最も低い周波数帯域から数えて４番目、５番目、６番目のセグメントでデータを送信し、そのほかのセグメントはＮｕｌｌで送信しているものとする。
【００２２】
この時、受信機Ｒｘ１、受信機Ｒｘ２、受信機Ｒｘ３のそれぞれの受信波は図１２の（ｄ）のようになる。受信機Ｒｘ３は、送信機Ｔｘ１及び送信機Ｔｘ２の両方の電波を受信するため、受信波が混信してしまい、受信状態が悪くなる。
【００２３】
上述の問題を解決するためには次のような方法が考えられる。図１３は、地上デジタル放送において、セグメントがＮｕｌｌであることを表すデータを送信しないことを表した図である。Ｎｕｌｌであることを表すデータにフィルタをかけ、実際に使うセグメントだけを出力することにより、送信エリア１と送信エリア２が重なるエリアにおいても、Ｎｕｌｌデータがないためにノイズは発生せず、受信状態が悪くなることはない。
【特許文献１】特開２００１−２７４７６４号公報
【発明の開示】
【発明が解決しようとする課題】
【００２４】
しかしながら、上述のような対応を実施したとしても、上述のような地域密着型放送を実施する場合には、隣接する第１基地局間において混信によるノイズの問題が発生する。各第１基地局間では発射する電波のタイミングが合わないため、周波数偏差の重複が起きたり、ＯＦＤＭセグメントフレームのずれが発生したりするからである。
【００２５】
図１４は、複数の第１基地局からの電波の時間的なずれを補正する必要性を表した図である。図中、縦軸ｆは搬送波の周波数成分、横軸は搬送時間を示す。ＯＦＤＭにおいては、データはＯＦＤＭセグメントフレームに乗せて送信されるが、複数の第１基地局から電波が発信される場合、このＯＦＤＭセグメントフレームがずれることによりノイズが発生する。
【００２６】
更に、隣接する第１局間において周波数帯には発射周波数の偏差が発生する。重複周波数帯（偏差の重なる部分）では混信が起こり、信号が劣化する。偏差を補正する方法として高精度の内部クロックを備えることが考えられるが、製造コストが上昇する。また、偏差を完全にゼロにすることは，極めて困難である。
【００２７】
図１７は、複数の第１基地局からの電波の周波数の偏差を補正する必要性を表した図である。図中、縦軸ｆは搬送波の周波数成分、横軸は搬送時間を示す。左図においてＴｘ１及びＴｘ２が重なっている部分が重複周波数帯（偏差の重なる部分）であり、この部分が混信の原因となる。
【００２８】
本発明は、複数の第１基地局からの電波の時間的なずれを軽減するため、各第１基地局の電波の発射タイミング及び周波数を相互に調整することができる放送システム及び方法を提供することを目的とする。
【課題を解決するための手段】
【００２９】
上記の課題を解決するために、本発明は以下のようなものを提供する。
【００３０】
本発明の請求項１に記載の構成は、デジタル変調信号をＯＦＤＭ（直交周波数分割多重）により搬送する放送電波を送信する複数の第１基地局（１０ａ、１０ｂ、１０ｃ、・・・）を含んで構成する放送システムにおいて、複数の第１基地局（１０ａ、１０ｂ、１０ｃ、・・・）のうち互いに放送エリア（１１ａ、１１ｂ、１１ｃ、・・・）が重複する所定の第１基地局（１０ａ、１０ｂ、１０ｃ、・・・）の組み合わせにおいて、前記放送電波の発射周波数の基準となる基準信号を得る手段と、得られた前記基準信号に基づいてＯＦＤＭにより前記放送電波を送信する手段と、を備える複数の第１基地局（１０ａ、１０ｂ、１０ｃ、・・・）を含んで構成する放送システム１を含む。
【００３１】
本発明の請求項１に記載の構成によれば、デジタル変調信号をＯＦＤＭにより搬送する前記放送電波を送信する複数の第１基地局（１０ａ、１０ｂ、１０ｃ、・・・）を含んで構成する放送システム１は、複数の第１基地局（１０ａ、１０ｂ、１０ｃ、・・・）のうち互いに放送エリア（１１ａ、１１ｂ、１１ｃ、・・・）が重複する所定の第１基地局（１０ａ、１０ｂ、１０ｃ、・・・）の組み合わせにおいて、前記放送電波の発射周波数の基準となる基準信号を得て、得られた前記基準信号に基づいてＯＦＤＭによる放送電波を送信する。
【００３２】
従って、放送システム１は、得られた前記基準信号に基づいてＯＦＤＭによる放送電波を送信することで、複数の第１基地局（１０ａ、１０ｂ、１０ｃ、・・・）からの電波の周波数の偏差が補正され、更に放送エリアの重複する各第１基地局（１０ａ、１０ｂ、１０ｃ、・・・）の組み合わせにおいて、電波の発射周波数が重複しないように調整することができる。
【００３３】
その結果、ノイズを抑制し、受信可能な携帯機器向け地上デジタル放送を全てクリアに受信して再生することができ、上述のような地上デジタル放送を用いて携帯端末の周辺５〜１０ｋｍ圏の範囲内でより地域に密着した番組を放送するという新しい放送サービスの提供が可能になる。
【００３４】
本発明の請求項２に記載の構成は、デジタル変調信号をＯＦＤＭ（直交周波数分割多重）により搬送する放送電波を送信する複数の第１基地局（１０ａ、１０ｂ、１０ｃ、・・・）を含んで構成する放送システムにおいて、複数の第１基地局（１０ａ、１０ｂ、１０ｃ、・・・）のうち互いに放送エリア（１１ａ、１１ｂ、１１ｃ、・・・）が重複する所定の第１基地局（１０ａ、１０ｂ、１０ｃ、・・・）の組み合わせにおいて、前記放送電波の発射タイミングを調整するための基準信号を得る手段と、得られた前記基準信号に基づいてＯＦＤＭにより前記放送電波を送信する手段と、を備える複数の第１基地局（１０ａ、１０ｂ、１０ｃ、・・・）を含んで構成する放送システム１を含む。
【００３５】
本発明の請求項２に記載の構成によれば、デジタル変調信号をＯＦＤＭにより搬送する前記放送電波を送信する複数の第１基地局（１０ａ、１０ｂ、１０ｃ、・・・）を含んで構成する放送システム１は、複数の第１基地局（１０ａ、１０ｂ、１０ｃ、・・・）のうち互いに放送エリア（１１ａ、１１ｂ、１１ｃ、・・・）が重複する所定の第１基地局（１０ａ、１０ｂ、１０ｃ、・・・）の組み合わせにおいて、前記放送電波の発射タイミングを調整するための基準信号を得て、得られた前記基準信号に基づいてＯＦＤＭにより前記放送電波を送信する。
【００３６】
従って、放送システム１は、得られた前記基準信号に基づいてＯＦＤＭによる放送電波を送信することで、複数の第１基地局（１０ａ、１０ｂ、１０ｃ、・・・）からの電波の時間的なずれが、軽減されるように、各第１基地局（１０ａ、１０ｂ、１０ｃ、・・・）の電波の発射タイミングを相互に調整することができる。
【００３７】
その結果、ノイズを抑制し、受信可能な携帯機器向け地上デジタル放送を全てクリアに受信して再生することができ、上述のような地上デジタル放送を用いて携帯端末の周辺５〜１０ｋｍ圏の範囲内でより地域に密着した番組を放送するという新しい放送サービスの実現性を更に高める。
【００３８】
本発明の請求項３に記載の構成は、請求項１又は請求項２のいずれかに記載の構成に加えて、通信ネットワーク３０を介して接続されたサーバ４０から発信される共通クロック信号を受信して前記基準信号とする手段を、更に備える複数の第１基地局（１０ａ、１０ｂ、１０ｃ、・・・）を含んで構成する放送システム１を含む。
【００３９】
本発明の請求項３に記載の構成によれば、請求項１又は請求項２のいずれかに記載の作用に加えて、放送システム１は、通信ネットワーク３０を介して接続されたサーバ４０から発信される前記共通クロック信号を受信して前記基準信号とする。
【００４０】
従って、放送システム１は、前記共通クロック信号を用いて放送電波の周波数及び発射タイミングを同期させることにより、複数の第１基地局（１０ａ、１０ｂ、１０ｃ、・・・）との電波の周波数の偏差が補正され、電波の時間的なずれが軽減されるように、各第１基地局（１０ａ、１０ｂ、１０ｃ、・・・）の電波の発射周波数及び発射タイミングを相互に調整することができる。
【００４１】
本発明の請求項４に記載の構成は、請求項１から請求項３のいずれかに記載の構成に加えて、第１基地局から発信される放送電波とは異なる周波数によってデジタル変調信号を搬送する第２基地局（６０ａｂ、６０ｂｃ、・・・）から送信された放送電波を基準波として受信して前記基準信号とする手段を、更に備える複数の第１基地局（１０ａ、１０ｂ、１０ｃ、・・・）を含んで構成する放送システム１を含む。
【００４２】
本発明の請求項４に記載の構成によれば、請求項１から請求項３のいずれかに記載の作用に加えて、放送システム１は、第１基地局から発信される放送電波とは異なる周波数によってデジタル変調信号を搬送する第２基地局（６０ａｂ、６０ｂｃ、・・・）から送信された放送電波を基準波として受信して前記基準信号とする。
【００４３】
従って、放送システム１は、複数の第１基地局（１０ａ、１０ｂ、１０ｃ、・・・）との電波の周波数の偏差が補正され、電波の時間的なずれが軽減されるように、各第１基地局（１０ａ、１０ｂ、１０ｃ、・・・）の電波の発射周波数及び発射タイミングを相互に調整することができる。
【００４４】
本発明の請求項５に記載の構成は、請求項１から請求項４のいずれかに記載の構成に加えて、所定の第１基地局（１０ａ、１０ｂ、１０ｃ、・・・）の組み合わせにおいて、第１基地局のうちの一つを予め基準局と定め、基準局において基準波をＯＦＤＭの１セグメントを使用して送信する手段と、送信した前記基準波を基準信号とする手段と、を更に備え、前記基準局以外の第１基地局（１０ａ、１０ｂ、１０ｃ、・・・）が、送信された前記基準波を受信して前記基準信号とする手段と、を更に備える複数の第１基地局（１０ａ、１０ｂ、１０ｃ、・・・）を含んで構成する放送システム１を含む。
【００４５】
本発明の請求項５に記載の構成によれば、請求項１から請求項４のいずれかに記載の作用に加えて、放送システム１は、所定の第１基地局（１０ａ、１０ｂ、１０ｃ、・・・）の組み合わせにおいて、第１基地局のうちの一つを予め基準局と定め、基準局において基準波をＯＦＤＭの１セグメントを使用して送信し、送信した前記基準波を基準信号とし、かつ前記基準局以外の第１基地局が、送信された前記基準波を受信して前記基準信号とする。
【００４６】
従って、放送システム１は、ＯＦＤＭの１セグメントを使用して送信された基準波を基準信号とすることにより、複数の第１基地局（１０ａ、１０ｂ、１０ｃ、・・・）との電波の周波数の偏差が補正され、電波の時間的なずれが軽減されるように、各第１基地局（１０ａ、１０ｂ、１０ｃ、・・・）の電波の発射周波数及び発射タイミングを相互に調整することができる。
【００４７】
本発明の請求項６に記載の構成は、請求項１から請求項５のいずれかに記載の構成に加えて、所定の第１基地局（１０ａ、１０ｂ、１０ｃ、・・・）の組み合わせにおいて、通信ネットワーク３０を介して所定の第１基地局における互いの内部クロックを送受信する手段と、前記内部クロックを前記基準信号とする手段と、を更に備える第１基地局（１０ａ、１０ｂ、１０ｃ、・・・）を含む。
【００４８】
本発明の請求項６に記載の構成によれば、請求項１から請求項５のいずれかに記載の効果に加えて、放送システム１は、所定の第１基地局（１０ａ、１０ｂ、１０ｃ、・・・）の組み合わせにおいて、通信ネットワーク３０を介して所定の第１基地局における互いの内部クロックを送受信し、前記内部クロックを前記基準信号とする。
【００４９】
より具体的には、通信ネットワーク３０を介して所定の第１基地局における互いの内部クロックを示すデータを送受信して周波数及び時刻を同期させることにより実現してもよい。なお、この同期処理は定期的に行うと好適である。例えば、１時間毎、１日毎等必要に応じて間隔を設定してよい。
【００５０】
従って、放送システム１は、複数の第１基地局（１０ａ、１０ｂ、１０ｃ、・・・）との電波の周波数の偏差が補正され、電波の時間的なずれが軽減されるように、各第１基地局（１０ａ、１０ｂ、１０ｃ、・・・）の電波の発射周波数及び発射タイミングを相互に調整することができる。
【００５１】
本発明の請求項７に記載の構成は、請求項１から６のいずれかに記載の構成に加えて、第１基地局（１０ａ、１０ｂ、１０ｃ、・・・）からの放送電波の同期信号を受信する手段と、互いに放送エリアが重複する場所において、ＧＰＳ衛星５０からの信号を受信して自局の位置を特定する手段と、所定の第１基地局（１０ａ、１０ｂ、１０ｃ、・・・）の組み合わせに含まれる第１基地局（１０ａ、１０ｂ、１０ｃ、・・・）と自局との間の距離をそれぞれ計算する手段と、前記それぞれ計算した距離の差に基づいて、所定の第１基地局（１０ａ、１０ｂ、１０ｃ、・・・）の組み合わせに含まれる第１基地局（１０ａ、１０ｂ、１０ｃ、・・・）からの放送電波の同期信号を補正する手段と、補正した前記同期信号に基づいて前記放送電波を受信する手段と、を備える受信機２０を更に含む放送システム１を含む。
【００５２】
本発明の請求項７に記載の構成によれば、請求項１から６のいずれかに記載の作用に加えて、放送システム１は、第１基地局（１０ａ、１０ｂ、１０ｃ、・・・）からの放送電波の同期信号を受信し、互いに放送エリアが重複する場所において、ＧＰＳ衛星５０からの信号を受信して自局の位置を特定し、所定の第１基地局（１０ａ、１０ｂ、１０ｃ、・・・）の組み合わせに含まれる第１基地局（１０ａ、１０ｂ、１０ｃ、・・・）と自局との間の距離をそれぞれ計算し、前記それぞれ計算した距離の差に基づいて、所定の第１基地局（１０ａ、１０ｂ、１０ｃ、・・・）の組み合わせに含まれる第１基地局（１０ａ、１０ｂ、１０ｃ、・・・）からの放送電波の同期信号を補正し、補正した前記同期信号に基づいて前記放送電波を受信する。
【００５３】
従って、放送システム１は、ＧＰＳ衛星５０からの信号に基づいて計算した距離の差に基づいて、複数の第１基地局（１０ａ、１０ｂ、１０ｃ、・・・）との電波の周波数の偏差が補正され、電波の時間的なずれが軽減されるように、各第１基地局（１０ａ、１０ｂ、１０ｃ、・・・）の電波の発射周波数及び発射タイミングを相互に調整することができる。
【００５４】
本発明の請求項８に記載の構成は、複数の第１基地局（１０ａ、１０ｂ、１０ｃ、・・・）を含んで構成する放送システムにより、デジタル変調信号をＯＦＤＭ（直交周波数分割多重）により搬送する放送電波を送信する方法であって、複数の第１基地局（１０ａ、１０ｂ、１０ｃ、・・・）のうち互いに放送エリアが重複する所定の第１基地局（１０ａ、１０ｂ、１０ｃ、・・・）の組み合わせにおいて、前記放送電波の発射周波数の基準となる基準信号を得る手順と、得られた前記基準信号に基づいてＯＦＤＭにより前記放送電波を送信する手順と、を含む方法を含む。
【００５５】
本発明の請求項８に記載の構成によれば、前記方法は、複数の第１基地局（１０ａ、１０ｂ、１０ｃ、・・・）を含んで構成する放送システム１により、デジタル変調信号をＯＦＤＭにより搬送する前記放送電波を送信し、複数の第１基地局（１０ａ、１０ｂ、１０ｃ、・・・）のうち互いに放送エリアが重複する所定の第１基地局（１０ａ、１０ｂ、１０ｃ、・・・）の組み合わせにおいて、前記放送電波の発射タイミングを調整するための基準信号を得て、得られた前記基準信号に基づいてＯＦＤＭにより前記放送電波を送信する。
【００５６】
従って、前記方法により、複数の第１基地局（１０ａ、１０ｂ、１０ｃ、・・・）との電波の周波数の偏差が補正されるように、各第１基地局（１０ａ、１０ｂ、１０ｃ、・・・）の電波の周波数を相互に調整し、相互の周波数が重複しないように電波を発射することができる。
【００５７】
本発明の請求項９に記載の構成は、複数の第１基地局（１０ａ、１０ｂ、１０ｃ、・・・）を含んで構成する放送システムにより、デジタル変調信号をＯＦＤＭ（直交周波数分割多重）により搬送する放送電波を送信する方法であって、複数の第１基地局（１０ａ、１０ｂ、１０ｃ、・・・）のうち互いに放送エリアが重複する所定の第１基地局（１０ａ、１０ｂ、１０ｃ、・・・）の組み合わせにおいて、前記放送電波の発射タイミングを調整するための基準信号を得る手順と、得られた前記基準信号に基づいてＯＦＤＭにより前記放送電波を送信する手順と、を含む方法を含む。
【００５８】
本発明の請求項９に記載の構成によれば、前記方法は、複数の第１基地局（１０ａ、１０ｂ、１０ｃ、・・・）を含んで構成する放送システム１により、デジタル変調信号をＯＦＤＭにより搬送する前記放送電波を送信し、複数の第１基地局（１０ａ、１０ｂ、１０ｃ、・・・）のうち互いに放送エリアが重複する所定の第１基地局（１０ａ、１０ｂ、１０ｃ、・・・）の組み合わせにおいて、前記放送電波の発射タイミングを調整するための基準信号を得て、得られた前記基準信号に基づいてＯＦＤＭにより前記放送電波を送信する。
【００５９】
従って、前記方法により、複数の第１基地局（１０ａ、１０ｂ、１０ｃ、・・・）からの電波の時間的なずれが軽減されるように、各第１基地局（１０ａ、１０ｂ、１０ｃ、・・・）の電波の発射タイミングを相互に調整することができる。
【発明の効果】
【００６０】
本発明によれば、複数の第１基地局（１０ａ、１０ｂ、１０ｃ、・・・）との電波の周波数の偏差が補正され、電波の時間的なずれが軽減されるように、各第１基地局の電波の発射周波数及び発射タイミングを相互に調整することができる。
【発明を実施するための最良の形態】
【００６１】
以下、添付の図面を参照しながら、本発明の好適な実施形態の一例を詳細に説明する。
【００６２】
なお、本発明の好適な実施形態の一例における構成要素は、適宜既存の構成要素等との置き換えが可能であり、また、他の既存の構成要素との組み合わせを含む様々なバリエーションが可能であって、本発明の好適な実施形態の一例の記載をもって、特許請求の範囲に記載された発明の内容を限定するものではない。
【００６３】
図１は、本発明の好適な実施形態の一例に係る放送システム１の全体構成を表す図である。放送システム１は、複数の第１基地局（１０ａ、１０ｂ、１０ｃ、・・・）、及び複数の第１基地局（１０ａ、１０ｂ、１０ｃ、・・・）のそれぞれに対応する放送エリア（１１ａ、１１ｂ、１１ｃ、・・・）、モバイル端末２０、サーバ４０、ＧＰＳ衛星５０、複数の第１基地局（１０ａ、１０ｂ、１０ｃ、・・・）とは周波数帯域の異なる第２基地局（６０ａｂ、６０ｂｃ、・・・）を含んでよい。
【００６４】
なお、複数の第１基地局（１０ａ、１０ｂ、１０ｃ、・・・）、及び複数の第１基地局（１０ａ、１０ｂ、１０ｃ、・・・）のそれぞれに対応する放送エリア（１１ａ、１１ｂ、１１ｃ、・・・）、モバイル端末２０、サーバ４０、ＧＰＳ衛星５０、第２基地局（６０ａｂ、６０ｂｃ、・・・）の数には制限はなく、それぞれ必要に応じて１または複数で構成してよく、それぞれ全てが含まれなくてもよい。
【００６５】
また、図１においては、２つの放送エリア（１１ａ、１１ｂ、１１ｃ、・・・）が重なるように表現されているが、３つ以上の放送エリア（１１ａ、１１ｂ、１１ｃ、・・・）が重なっていてもよく、放送エリア（１１ａ、１１ｂ、１１ｃ、・・・）が全く重なっていなくてもよい。
【００６６】
図２は、本発明の好適な実施形態の一例に係る複数の第１基地局（１０ａ、１０ｂ、１０ｃ、・・・）、モバイル端末２０、サーバ４０、第２基地局（６０ａｂ、６０ｂｃ、・・・）の主要なハードウェア構成を示すブロック図である。
【００６７】
例えば、複数の第１基地局（１０ａ、１０ｂ、１０ｃ、・・・）の１つは、制御部１１０、記憶部１２０、アンテナ部１３０、入力部１４０、表示部１５０、通信Ｉ／Ｆ部１６０を含んでよく、バス１７０を介して接続されていてよい。
【００６８】
ここで、制御部１１０は、情報の演算、処理を行う情報演算処理装置であり、ＣＰＵ（Ｃｅｎｔｒａｌ  Ｐｒｏｃｅｓｓｉｎｇ  Ｕｎｉｔ）等であってよい。制御部１１０は、記憶部１２０に記憶された各種プログラムを適宜読み出して実行することにより、本発明に係る各種機能を実現する。
【００６９】
また、記憶部１２０は、データを記憶するためのものであり、ローカルメモリ、大容量バルクメモリ、及び当該バルクメモリの検索を効率的に行うために使用するキャッシュメモリ等であってよい。また、記憶部１２０を実現するコンピュータ可読媒体としては、電気的、磁気的、光学的、電磁的に実現するものであってよく、より具体的には、半導体記憶装置、磁気テープ、フレキシブルディスク、ランダム・アクセス・メモリ（ＲＡＭ）、リードオンリー・メモリ（ＲＯＭ）、及びＣＤ−ＲＯＭやＣＤ−Ｒ／ＷやＤＶＤ等を含む光ディスク等であってよい。記憶部１２０は、制御部１１０が適宜読み出して実行する各種プログラムを記憶する。
【００７０】
また、アンテナ部１３０は、電波を送信したり、電波を受信したりするものであり、地上波用に用いられる棒状アンテナ、ＢＳ・ＣＳなどの衛星用に用いられるお椀状アンテナ等であってよく、概観から形状が把握できなくてもよい。
【００７１】
また、入力部１４０は、ユーザによる入力の受付を行うためのものであり、キーボード、マウス、タッチパネル及びポインティングデバイス等であってよい。
【００７２】
また、表示部１５０は、入力の画面を表示したり、演算結果や処理結果の画面を表示したりするためのものであり、ブラウン管表示装置（ＣＲＴ）、液晶表示装置（ＬＣＤ）等であってよい。
【００７３】
また、通信インターフェイス部１６０は、ネットワーク内で他のコンピュータと通信を行うためのものであり、モデム、ケーブル・モデム及びイーサネット（登録商標）・アダプタ等であってよい。
【００７４】
また、モバイル端末２０、サーバ４０、ＧＰＳ衛星５０、第２基地局（６０ａｂ、６０ｂｃ、・・・）も、複数の第１基地局（１０ａ、１０ｂ、１０ｃ、・・・）の１つと同様の構成を有してよい。
［放送電波送信処理１］
【００７５】
図３は、本発明の好適な実施形態の一例に係る、放送電波送信処理１の手順を示すフローチャートである。
【００７６】
まず、複数の第１基地局（１０ａ、１０ｂ、１０ｃ、・・・）の１つは、通信インターフェイス部１６０を介して、サーバ４０より共通クロックを受信する（ステップＳ１０１）。
【００７７】
次に、複数の第１基地局（１０ａ、１０ｂ、１０ｃ、・・・）の１つは、アンテナ部１３０を介して、受信した前記共通クロックに基づいて周波数の偏差を補正し、タイミングを合わせて放送電波を送信する（ステップＳ１０２）。
［放送電波送信処理２］
【００７８】
図４は、本発明の好適な実施形態の一例に係る、放送電波送信処理２の手順を示すフローチャートである。
【００７９】
まず、複数の第１基地局（１０ａ、１０ｂ、１０ｃ、・・・）の１つは、アンテナ部１３０を介して、第２基地局（６０ａｂ、６０ｂｃ、・・・）から他の周波数で送信される基準波を受信する（ステップＳ２０１）。
【００８０】
次に、複数の第１基地局（１０ａ、１０ｂ、１０ｃ、・・・）の１つは、アンテナ部１３０を介して、受信した前記基準波に基づいて周波数の偏差を補正し、タイミングを合わせて放送電波を送信する（ステップＳ２０２）。
［放送電波送信処理３］
【００８１】
図５は、本発明の好適な実施形態の一例に係る、放送電波送信処理３の手順を示すフローチャートである。
【００８２】
まず、複数の第１基地局（１０ａ、１０ｂ、１０ｃ、・・・）のうち予め基準局として設定されている第１基地局（１０ａ、１０ｂ、１０ｃ、・・・）は、アンテナ部１３０を介して、基準波を１セグメントに設定して送信する（ステップＳ３０１）。
【００８３】
次に、複数の第１基地局（１０ａ、１０ｂ、１０ｃ、・・・）のうち非基準局は、アンテナ部１３０を介して、基準局からの基準波を受信する（ステップＳ３０２）。
【００８４】
次に、複数の第１基地局（１０ａ、１０ｂ、１０ｃ、・・・）のうち基準局は、アンテナ部１３０を介して、基準波を基準信号として、周波数の偏差を補正し、タイミングを合わせて放送電波を送信する（ステップＳ３０３）。
【００８５】
更に、複数の第１基地局（１０ａ、１０ｂ、１０ｃ、・・・）のうち非基準局は、アンテナ部１３０を介して、基準波を基準信号として周波数の偏差を補正し、タイミングを合わせて放送電波を送信する（ステップＳ３０４）。
［放送電波送信処理４］
【００８６】
図６は、本発明の好適な実施形態の一例に係る、放送電波送信処理４の手順を示すフローチャートである。
【００８７】
まず、複数の第１基地局（１０ａ、１０ｂ、１０ｃ、・・・）の１つは、通信インターフェイス部１６０を介して、内部クロックを送受信する（ステップＳ４０１）。この際、送信した前記内部クロック及び受信した前記内部クロックの平均値を周波数及びタイミングの基準値としてもよく、中央値、最頻値、最大値、最小値のいずれかを基準値としてもよい。具体的には、例えば得られた周波数の基準値が６ＭＨｚであれば６ＭＨｚと、例えば得られた時刻の基準値が８時３０分であれば８時３０分、１４時１０分であれば１４時１０分と同期をとる。
【００８８】
次に、複数の第１基地局（１０ａ、１０ｂ、１０ｃ、・・・）の１つは、アンテナ部１３０を介して、前記内部クロックに基づいて放送電波を送信する（ステップＳ４０２）。
［同期信号補正処理］
【００８９】
図７は、本発明の好適な実施形態の一例に係る、同期信号補正処理の手順を示すフローチャートである。
【００９０】
まず、受信機２０は、制御部２１０を介して、受信可能な第１基地局（１０ａ、１０ｂ、１０ｃ、・・・）を特定する（ステップＳ５０１）。
【００９１】
次に、受信機２０は、アンテナ部２３０を介して、受信可能な基地局から同期信号を受信する（ステップＳ５０２）。
【００９２】
次に、受信機２０は、制御部２１０を介して、ＧＰＳ信号に基づいて自局の位置を特定する（ステップＳ５０３）。
【００９３】
次に、受信機２０は、制御部２１０を介して、受信可能な第１基地局（１０ａ、１０ｂ、１０ｃ、・・・）と自局との間の距離の差に基づいて同期信号を補正する（ステップＳ５０４）。
【００９４】
更に、受信機２０は、アンテナ部２３０を介して、補正後の同期信号に基づいて放送電波を受信する（ステップＳ５０５）。
【００９５】
図１４は、本発明が解決しようとする課題である、複数の第１基地局（１０ａ、１０ｂ、１０ｃ、・・・）からの電波の時間的なずれを補正する必要性を表した図である。
【００９６】
図１４の左図においては、電波の時間的なずれが補正されていないために、ＯＦＤＭセグメントフレームにずれが生じ、ノイズが発生する様子が表現されている。電波の時間的なずれを補正することより、図１４の右図のようにＯＦＤＭセグメントフレームのずれは解消され、ノイズの発生が抑制される。
【００９７】
図１７は、本発明が解決しようとする課題である、複数の第１基地局（１０ａ、１０ｂ、１０ｃ、・・・）からの電波の周波数のずれを補正する必要性を表した図である。
【００９８】
図１７の左図においては、電波の周波数のずれが補正されていないために、重複する周波数帯が生じ、ノイズが発生する様子が表現されている。電波の周波数のずれを補正することにより、図１７の右図のように重複する周波数帯は解消され、ノイズの発生が抑制される。
【図面の簡単な説明】
【００９９】
【図１】本発明の好適な実施形態の一例に係る放送システム１の全体構成を表す図である。
【図２】本発明の好適な実施形態の一例に係る複数の第１基地局（１０ａ、１０ｂ、１０ｃ、・・・）、モバイル端末２０、サーバ４０、第２基地局（６０ａｂ、６０ｂｃ、・・・）の主要なハードウェア構成を示すブロック図である。
【図３】本発明の好適な実施形態の一例に係る、放送電波送信処理１の手順を示すフローチャートである。
【図４】本発明の好適な実施形態の一例に係る、放送電波送信処理２の手順を示すフローチャートである。
【図５】本発明の好適な実施形態の一例に係る、放送電波送信処理３の手順を示すフローチャートである。
【図６】本発明の好適な実施形態の一例に係る、放送電波送信処理４の手順を示すフローチャートである。
【図７】本発明の好適な実施形態の一例に係る、同期信号補正処理の手順を示すフローチャートである。
【図８】本発明の先行技術である地上デジタル放送を利用して、地域密着型放送を実施した活用例を表した図である。
【図９】本発明の先行技術である地上デジタル放送を利用して、地域密着型放送を実施した活用例を表した図である。
【図１０】本発明の先行技術である地上デジタル放送において、地上デジタルテレビジョン放送と、携帯機器向け地上デジタル放送の棲み分けを表した図である。
【図１１】本発明の先行技術である地上デジタル放送において、１３のセグメント全てを携帯機器向け地上デジタル放送に使用する活用例を表した図である。
【図１２】本発明の先行技術である地上デジタル放送において、送信エリアが重なった場合にノイズが発生することを表した図である。
【図１３】本発明の先行技術である地上デジタル放送において、セグメントがＮｕｌｌであることを表すデータを送信しないことを表した図である。
【図１４】本発明が解決しようとする課題である、複数の第１基地局（１０ａ、１０ｂ、１０ｃ、・・・）からの電波の時間的なずれを補正する必要性を表した図である。
【図１５】本発明の先行技術である地上デジタル放送における、ＯＦＤＭを用いた伝送方式の仕組みを表した図である。
【図１６】本発明の先行技術である地上デジタル放送における、ＯＦＤＭを用いた周波数変換の仕組みを表した図である。
【図１７】本発明が解決しようとする課題である、複数の第１基地局（１０ａ、１０ｂ、１０ｃ、・・・）からの電波の周波数のずれを補正する必要性を表した図である。
【符号の説明】
【０１００】
１  放送システム
１０ａ、１０ｂ、１０ｃ  第１基地局
１１ａ、１１ｂ、１１ｃ  放送エリア
２０  受信機
３０  通信ネットワーク
４０  サーバ
５０  ＧＰＳ衛星
６０ａｂ、６０ｂｃ  第２基地局
１１０、２１０、４１０、６１０  制御部
１２０、２２０、４２０、６２０  記憶部
１３０、２３０、４３０、６３０  アンテナ部
１４０、２４０、４４０、６４０  入力部
１５０、２５０、４５０、６５０  表示部
１６０、２６０、４６０、６６０  通信Ｉ／Ｆ部
１７０、２７０、４７０、６７０  バス
【図１】
2009027680.tif 000003
【図２】
2009027680.tif 000004
【図３】
2009027680.tif 000005
【図４】
2009027680.tif 000006
【図５】
2009027680.tif 000007
【図６】
2009027680.tif 000008
【図７】
2009027680.tif 000009
【図８】
2009027680.tif 000010
【図９】
2009027680.tif 000011
【図１０】
2009027680.tif 000012
【図１１】
2009027680.tif 000013
【図１２】
2009027680.tif 000014
【図１３】
2009027680.tif 000015
【図１４】
2009027680.tif 000016
【図１５】
2009027680.tif 000017
【図１６】
2009027680.tif 000018
【図１７】
2009027680.tif 000019